(57)【要約】【課題】本発明は、升管理、ｋｇ管理のいずれもし易い洗米装置を提供することを課題とする。【解決手段】 本発明は、米を収容する貯米庫（２）と、米を洗米する洗米機（４）を備え、貯米庫（２）内の米を洗米機（４）に繰り出すロータリバルブ（１２）と、ロータリバルブ（１２）内に米を収容する収容室（４７）を設け、収容室の容積を調節する調節手段を備えている。【選択図】        図５
2018038966.tif 000002
【特許請求の範囲】
【請求項１】
米を収容する貯米庫（２）と、米を洗米する洗米機（４）を備え、前記貯米庫（２）内の米を前記洗米機（４）に繰り出すロータリバルブ（１２）と、前記ロータリバルブ（１２）内に米を収容する収容室（４７）を設け、前記収容室の容積を調節する調節手段を備えてあることを特徴とする炊飯用洗米装置。
【請求項２】
前記調節手段は、前記収容室（４７）に沿う形状であり、着脱自在のスペーサ（４９）であることを特徴とする請求項１記載の炊飯用洗米装置。
【請求項３】
前記収容室（４７）の一側に着脱自在の蓋（５１）を設け、前記スペーサ（４９）を前記蓋（５１）に着脱自在に設けてあることを特徴とする請求項２記載の炊飯用洗米装置。
【請求項４】
前記スペーサ（４９）の有無を検出するスペーサ有無検出センサ（５３）を設け、スペーサ有無検出結果に応じて表示画面（１４）の升・ｋｇの表示を切り換える制御部（Ｃ）を備えてあることを特徴とする請求項２又は請求項３記載の炊飯用洗米装置。
【請求項５】
前記ロータリバルブ（１２）は、円筒状に形成し、一部に米の受け入れ及び排出を行う開口部（４７ａ）を形成し、スペーサ有無検出センサ（５３）は、米が排出姿勢から受け入れ姿勢になるまでの間に設けてあることを特徴とする請求項４記載の炊飯用洗米装置。
【発明の詳細な説明】
【技術分野】
【０００１】
この発明は、炊飯用洗米装置に関する。
【背景技術】
【０００２】
従来、例えば、特許文献１には、ｋｇと升の単位の表示を切替え可能な洗米炊飯装置が記載されている、
【先行技術文献】
【特許文献】
【０００３】
【特許文献１】特開２０１１−２００４１号
【発明の概要】
【発明が解決しようとする課題】
【０００４】
洗米炊飯装置において、貯米庫から洗米機へは米をロータリバルブで設定量毎（例えば５００ｇ毎）繰り出すため、升とｋｇの双方に対応し難い。
【０００５】
利用者によっては、ｋｇ管理をする利用者と升管理をする利用者の双方がある。
【０００６】
本発明は、升管理、ｋｇ管理のいずれもし易い洗米装置を提供することを課題とする。
【課題を解決するための手段】
【０００７】
この発明は、上記課題を解決すべく次のような技術的手段を講じた。
【０００８】
すなわち、請求項１記載の本発明は、米を収容する貯米庫（２）と、米を洗米する洗米機（４）を備え、前記貯米庫（２）内の米を前記洗米機（４）に繰り出すロータリバルブ（１２）と、前記ロータリバルブ（１２）内に米を収容する収容室（４７）を設け、前記収容室の容積を調節する調節手段を備えてあることを特徴とする。
【０００９】
上記構成によると、収容室（４７）の容積を調節することで、任意の単位量毎の米を洗米機に供給できるので、ｋｇ単位、升単位のいずれにも対応し易い。
【００１０】
請求項２記載の本発明は、請求項１において、前記調節手段は、前記収容室（４７）に沿う形状であり、着脱自在のスペーサ（４９）であることを特徴とする。
【００１１】
上記構成によると、スペーサ（４９）の有無によるだけで収容室（４７）の容積を調節するので、簡単な構成で升用とｋｇ用として調節することができる。
【００１２】
請求項３記載の本発明は、請求項２において、前記収容室（４７）の一側に着脱自在の蓋（５１）を設け、前記スペーサ（４９）を前記蓋（５１）に着脱自在に設けてあることを特徴とする。
【００１３】
上記構成によると、蓋（５１）とスペーサ（４９）を一体にして着脱できるので、スペーサを取り外す場合には、蝶ボルトを外して蓋と一緒にスペーサを前方に引き出せばよく、簡単に着脱することができる。
【００１４】
請求項４記載の本発明は、請求項２又は請求項３において、前記スペーサ（４９）の有無を検出するスペーサ有無検出センサ（５３）を設け、スペーサ有無検出結果に応じて表示画面（１４）の升・ｋｇの表示を切り換える制御部（Ｃ）を備えてあることを特徴とする。
【００１５】
上記構成によると、炊飯量を升又はｋｇで炊飯する方式において、炊飯量升の場合は、スペーサは有しないが、炊飯量ｋｇの場合は、ｋｇ計量に必要なスペーサを要する。この際、センサ（５３）がスペーサ（４９）の有無を検出し、その検出結果に基づいて表示画面（１４）が升又はｋｇの表示に切り換えられる。
【００１６】
請求項５記載の本発明は、請求項４において、ロータリバルブ（１２）は、円筒状に形成し、一部に米の受け入れ及び排出を行う開口部（４７ａ）を形成し、スペーサ有無検出センサ（５３）は、米が排出姿勢から受け入れ姿勢になるまでの間に設けてあることを特徴とする。
【００１７】
上記構成によると、米がロータリバルブ（１２）内にない時に検出できるので、米がセンサに当接することを防止できる。
【発明の効果】
【００１８】
以上要するに、請求項１記載の本発明によれば、収容室の容積を調節することで、任意の単位量毎の米を洗米機に供給できるので、ｋｇ単位、升単位のいずれにも対応し易い。
【００１９】
請求項２記載の本発明によれば、請求項１記載の効果に加えて、スペーサの有無により簡単な構成で升用とｋｇ用を調節することができる。
【００２０】
請求項３記載の本発明によれば、請求項２記載の効果に加えて、蓋とスペーサを一体にして着脱できるので、蓋を取り外すだけの簡単な構成で着脱することができる。
【００２１】
請求項４記載の本発明によれば、請求項２記載の効果に加えて、スペーサの有無によって炊飯量ｋｇ管理と炊飯量升管理を行うことができ、表示画面においてもｋｇ又は升の表示に切り換えることができる。
【００２２】
請求項５記載の本発明によれば、請求項４の効果に加えて、米がロータリバルブ内にない時に検出できるので、米がセンサに当接することを防止できる。
【図面の簡単な説明】
【００２３】
【図１】洗米機の正面図
【図２】洗米機の側面図
【図３】洗米装置の縦断側面図
【図４】制御ブロック回路図
【図５】ロータリバルブの分解斜視図
【図６】スペーサ有無検出装置の断面図
【図７】升、Kgの場合の画面表示図
【図８】フローチャートを示す。
【発明を実施するための形態】
【００２４】
この発明の実施例を図面に基づき説明する。
【００２５】
図１及び図２は、洗米機を有する炊飯機を示すもので、この洗米炊飯機１は、貯米庫２、洗米タンク３を備える洗米機４を上部に支持し、その下方に炊飯装置５を配置して構成されている。
【００２６】
洗米機４は、支持機枠の上方に貯米庫２を設け、この貯米庫２の下部に給排水部を有する洗米タンク３を一体に接続して構成している。炊飯装置５は、洗米タンク３の下方に間隔をおいて配置され、炊飯釜６、釜加熱用バーナ７と引出式の架台１０等から構成される。
【００２７】
洗米炊飯機１は、炊飯設定に従い貯米庫２による軽量処理から、洗米タンク３による洗米、浸漬、水加減、投下の各処理を経て、炊飯装置５による炊飯処理までを一連に行うようになっている。
【００２８】
貯米庫２は、その上面に米投入口１８を開口し、この米投入口１８を投入蓋１９で開閉し、正面には操作パネル１１が備えられている。貯米庫２の下半部分はホッパ状に構成されていて、このホッパ下端部分にロータリバルブ１２が設けられている。ロータリバルブ１２はロータリバルブモータ１２ａ駆動の定量繰出弁によって構成され、貯米庫２から一定量ずつ流下した米が充填されたロータリバルブ１２を炊飯計画量に必要な回転数だけ回転させることで、炊飯計画量の米を貯米庫２から洗米タンク３に供給するようになっている。
【００２９】
ロータリバルブ１２は、円筒形ドラム状に形成され、中央ドラム４６ｃと前側ドラム４６ｆと後側ドラム４６ｂとからなり、内部には米を収容する収容室４７が形成され、シャフト４８によって回転可能に軸架されている。また、前記収容室４７は、内部の容積を調節することで、任意の単位量毎の米を洗米機に供給することができる。また、ドラム内に通じる収容室４７には一部に米の受け入れ及び排出を行う開口部４７ａが形成され、そして、スペーサ有無検出センサ５３は、米が排出姿勢から受け入れ姿勢になるまでの間に設けられる。これによれば、米がロータリバルブ内にない時に検出できるので、米がセンサに当接することを防止できる。
【００３０】
収容室４７の容積を調節する調節手段として樹脂製のスペーサ４９が内装軸架されるようになっている。スペーサ４９は、炊飯量ｋｇの場合に用いるが、ケース５０の蓋５１と前側ドラム４６ｆとで、蝶ボルト５２により着脱自在に締付固定するようになっている。要するに、蓋５１とスペーサ４９を一体にして着脱でき、スペーサを取り外す場合には、蝶ボルトを外して蓋と一緒にスペーサを前方に引き出せばよく、簡単に着脱することができる。さらに、ドラム４６全体においても蓋を外して前方に簡単に引き出すこともできる。
【００３１】
また、スペーサ４９の有無を検出するスペーサ有無検出センサ５３は、このスペーサ有無検出結果に基づいて表示画面１４に升・ｋｇの表示、すなわち、図７に示すように、升の場合は（Ａ）図、ｋｇの場合は（Ｂ）図のように切り換えるように自動で表示させる構成になっている。
【００３２】
炊飯機のｋｇ計量において、升かｋｇかを判断後、自動で切り換えた後、「１．０升」「２．０升」「３．０升」「４．０升」「５．０升」は自動運転を継続させ、その他の場合は、エラー表示後、炊飯量設定させた後、運転再開となるように構成する。この場合、ユーザが設定ミスをしても自動で切り換えることができる。
【００３３】
炊飯機の炊飯量を升又はｋｇで炊飯する構成において、「電源」と「メニュー」スイッチを同時押しのリセットを行なっても、ソフトの切り換えをしないかぎり、元に戻らない構成になっている。
【００３４】
また、図６に示すように、スペーサ有無検出センサ５３は、ケース５０の右側面にボス５６を設け、そのボス内にはスペーサに係合できる係合ピン５７、スペーサに向けて押圧するスプリング５８やストッパ５９を設けてスペーサの有無を検知する構成としている。
【００３５】
洗米タンク３は、図３に示すように、上方部にロータリバルブ１２から供給される米を受ける漏斗状の受け部１３を備え、中間部に円筒状の胴部３ｂと、下部にホッパ状部３ｃを持つ構成になっている。
【００３６】
前記洗米タンク３のホッパ状部３ｃ下方にジャケット部３１を接続し、ホッパ状部３ｃとジャケット部３１との境界部に米粒を漏下させない程度の開口を持つフイルタ１５を設けている。
【００３７】
洗米タンク３の中心部に鉛直方向の中空軸による回転軸１６を設け、その中空部に排米軸１６ａ貫通配置している。回転軸１６には、攪拌体である複数の攪拌棒１７を取り付け、そのうちの少なくとも１本は洗米タンク３の内壁に沿う形状になっている。
【００３８】
回転軸１６は支持機枠に取り付けた洗米モータ２０によりベベルギヤ２１等の伝動系を介して正逆方向及び回転速度を制御可能に回転される。
【００３９】
攪拌棒１７は、左回動作で洗米中の米を持ち上げるように屈曲して形成することにより、洗米時間の短縮と使用水量の削減を可能とし、また、水加減した米を投下するときには下に押えるように右回り動作に制御することにより、洗米タンク３の側壁に付着した残米をできるだけ少なくして投下することができる。
【００４０】
排水軸１６ａは、外側の回転軸１６の内部に上下摺動自在に遊嵌されていて、軸の下端に着脱自在の排水弁２２を設け、軸の上端を排水弁駆動用モータ２３で駆動するカム２４により上下動させて、排水弁２２の開閉制御が行える構成になっている。排水弁２２が開くと洗米タンク３内の米は下方の炊飯装置５の中へ落下する。
【００４１】
洗米タンク３には、下端のジャケット部３１に下部給水管２７と送気管２７ａとを近接して水と空気を供給し、また、洗米タンク３の上部に排水管２６を配置し、この排水管６から下降して下部給水管２７を設けると共に、排水管２６から上部給水管２９を分岐して複数のシャワーノズル２９ａ，２９ｂから上部給水する。排水管２６には、流量を計測する流量センサ２５を設け、この流量センサ２５の計測値に応じて動作する電磁弁２８を下部給水管２７に、同様の電磁弁３５を上部給水管２９に設ける。
【００４２】
洗米タンク３の下部側方には、排水箱３９が設けられ、排水口４０を有した排水箱３９は、上部が洗米タンク３の上部側面に開口するオーバーフロー管４１と連結管３６で接続され、内側部が前記ジャケット部３１に連通するジャケット排水管４２と接続されている。ジャケット排水管４２からの排水は、排水弁４４の開閉で行われ、水位弁５４で洗米タンク内の水位を調整するようになっている。
【００４３】
排水箱３９は、排水弁４４及び水位弁６４で常時閉鎖しているが、洗米タンク３内の水を排水する場合には、ジャケット部３１のフイルタ１５からジャケット排水管４２、排水弁４４及び／又は水位弁５４、排水管３９及び排水口４０を経て排水される。
【００４４】
排水弁４４及び水位弁５４は、洗米タンク３の天井部に固定して設けたそれぞれのソレノイドと連結して設けたコントロールワイヤ４５、５５によって開閉する。
【００４５】
また、洗米タンク３内上部には洗米タンク３内の水量を検出する電気接点付フロートセンサ３２を備えている。
【００４６】
図４に示す制御装置は、操作パネル１１の各種操作スイッチのほかに、流量センサ２５、フロートセンサ３２、スペーサ有無検出センサ５３の信号を制御部Ｃに入力し、出力側にはロータリバルブ１２のモータ１２ａ、米や水を投下する排米弁２２の駆動モータ２３、攪拌棒１７を駆動する洗米モータ２０、洗米タンク３に連通する電磁弁３５や電磁弁２８、洗米タンク排水弁４４及び水位弁５４のソレノイド４４ｓ，５４ｓ、炊飯装置５のバーナ７、設定内容と運転状況を表示する操作パネル１１の表示画面１４等を接続し、これら各機器を入力信号に応じて制御部Ｃが制御可能に構成している。
【００４７】
図８のフローチャートについて説明すると、電源ＯＮによりスタートスイッチをＯＮする。そして、流量チェックＯＫの場合は、ロータリバルブが回転する。
【００４８】
スペーサ有無検出センサがＯＦＦの場合には、升計量で運転し、表示を升に切り換えて運転する。
【００４９】
スペーサ有無検出センサがＯＮの場合には、ｋｇ計量で運転し、表示をｋｇに切り換えして運転する。
【符号の説明】
【００５０】
２      貯米庫
４      洗米機
１２    ロータリバルブ
１４    表示画面
４６    ドラム
４７    収容室
４７ａ  開口部
４９    スペーサ
５０    蓋
５３    スペーサ有無検出センサ
【図１】
2018038966.tif 000003
【図２】
2018038966.tif 000004
【図３】
2018038966.tif 000005
【図４】
2018038966.tif 000006
【図５】
2018038966.tif 000007
【図６】
2018038966.tif 000008
【図７】
2018038966.tif 000009
【図８】
2018038966.tif 000010